(57)【要約】【課題】ファスニングテープと不織布で形成されている他の部分との間で一体感があるという印象を与える。【解決手段】本発明に係る使い捨ておむつ１０では、ファスニングテープ９０を有する。使い捨ておむつ１０の両側縁部においてファスニングテープ９０が接合されている接合領域に対応する不織布シート６０/７０のうち最も非肌当接面側に設けられているバックシート６０には、エンボス６０ａが設けられており、ファスニングテープ９０の非肌当接面側に設けられている不織布シート９１には、バックシート６０に設けられているエンボス６０ａの形状と同一形状或いは相似形状を有するエンボス９１ａが設けられている。【選択図】図３
2014104348.tif 000002
【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に延びている吸収体を備え、
前記前胴回り域から前記後胴回り域に向かう製品長手方向と、前記製品長手方向と直交する製品幅方向とを有する使い捨ておむつであって、
前記前胴回り域或いは前記後胴回り域のいずれか一方における前記使い捨ておむつの両側縁部から前記製品幅方向の外側に延出するように、一対のファスニングテープが備えられており、
前記両側縁部において前記ファスニングテープが接合されている接合領域に対応する不織布シートのうち最も非肌当接面側に設けられている第１不織布シートには、エンボスが設けられており、
前記ファスニングテープの非肌当接面側に設けられている第２不織布シートには、前記第１不織布シートに設けられている前記エンボスの形状と同一形状或いは相似形状を有するエンボスが設けられていることを特徴とする使い捨ておむつ。
【請求項２】
前記第１不織布シート及び前記第２不織布シートは、同一種類の製法によって生成された繊維によって構成されていることを特徴とする請求項１に記載の使い捨ておむつ。
【請求項３】
前記ファスニングテープは、複数の不織布シートによって構成されており、
前記第２不織布シート以外の前記ファスニングテープを構成する前記不織布シートには、前記第２不織布シートに対して設けられている前記エンボスと異なるエンボスが設けられていることを特徴とする請求項１又は２に記載の使い捨ておむつ。
【請求項４】
前記両側縁部から延出している前記ファスニングテープにおける角部は、円弧状にカットされており、
前記使い捨ておむつの前記両側縁部における角部は、円弧状にカットされていることを特徴とする請求項１乃至３のいずれか一項に記載の使い捨ておむつ。
【請求項５】
前記ファスニングテープ全体の前記製品長手方向における単位長さ当たりのＫＥＳ曲げ剛性値及び前記ファスニングテープ全体の前記製品幅方向における単位長さ当たりのＫＥＳ曲げ剛性値は、１.４５ｇｆ/ｃｍ２/ｃｍよりも小さくなるように構成されていることを特徴とする請求項１乃至４のいずれか一項に記載の使い捨ておむつ。
【請求項６】
前記前胴回り域或いは前記後胴回り域のうち、前記ファスニングテープが備えられていない方に、ターゲットテープが備えられており、
前記ターゲットテープに、前記第１不織布シート及び前記第２不織布シートに設けられている前記エンボスと相似形状を有するエンボスが設けられていることを特徴とする請求項１乃至５のいずれか一項に記載の使い捨ておむつ。
【請求項７】
前記ターゲットテープは、複数層の繊維を積層することによって形成されている不織布シートによって構成されていることを特徴とする請求項６に記載の使い捨ておむつ。
【請求項８】
前記ファスニングテープの非肌当接面側の不織布は、捲縮繊維によって構成されていることを特徴とする請求項１乃至７のいずれか一項に記載の使い捨ておむつ。
【請求項９】
前記吸収体の非肌当接面側には、バックシートが備えられており、
前記バックシートの非肌当接面側の不織布は、捲縮繊維によって構成されていることを特徴とする請求項１乃至８のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に延びている吸収体を備えた使い捨ておむつが知られている。
【０００３】
ここで、特許文献１には、かかる使い捨ておむつにおいて、ファスニングテープが、透明なフィルムによって構成されており、かかる使い捨ておむつが、着用者に装着される際に、着用補助者が、ターゲットテープを視認することができるように構成されていることが記載されている（特許文献１参照）。
【先行技術文献】
【特許文献】
【０００４】
【特許文献１】特表平５-５０７７５３号公報
【発明の概要】
【発明が解決しようとする課題】
【０００５】
ここで、上述のような使い捨ておむつにおけるファスニングテープの構成（ターゲットテープを視認することができる構成）は、使い易さを重視して形成されている。
【０００６】
一方、近年、使い捨ておむつのユーザ（購買者）からの要求は高まっており、特に、乳幼児に着用する場合には、乳幼児の肌への負担をできるだけ減らしたいというように、ユーザの意識が高まっている。
【０００７】
しかしながら、上述のような使い捨ておむつでは、ファスニングテープは、不織布で形成されている使い捨ておむつの他の部分と比べて、風合いや見た目において大きな違和感があり、使い捨ておむつに対する要求や意識が高まっているユーザにとっては、ファスニングテープが異物であると認識されてしまうという問題点があった。
【０００８】
そこで、本発明は、このような状況に鑑みてなされたものであり、ファスニングテープと不織布で形成されている他の部分との間で一体感があるという印象を与えることができる使い捨ておむつの提供を目的とする。
【課題を解決するための手段】
【０００９】
本発明の第１の特徴は、前胴回り域と、後胴回り域と、前記前胴回り域と前記後胴回り域との間に位置する股下域と有し、一対の脚回り開口部が形成されると共に、前記股下域を跨ぎ前記前胴回り域及び前記後胴回り域に延びている吸収体を備え、前記前胴回り域から前記後胴回り域に向かう製品長手方向と、前記製品長手方向と直交する製品幅方向とを有する使い捨ておむつであって、前記前胴回り域或いは前記後胴回り域のいずれか一方における前記使い捨ておむつの両側縁部から前記製品幅方向の外側に延出するように、一対のファスニングテープが備えられており、前記両側縁部において前記ファスニングテープが接合されている接合領域に対応する不織布シートのうち最も非肌当接面側に設けられている第１不織布シートには、エンボスが設けられており、前記ファスニングテープの非肌当接面側に設けられている第２不織布シートには、前記第１不織布シートに設けられている前記エンボスの形状と同一形状或いは相似形状を有するエンボスが設けられていることを要旨とする。
【発明の効果】
【００１０】
本発明の特徴によれば、ファスニングテープと不織布で形成されている他の部分との間で一体感があるという印象を与えることができる使い捨ておむつを提供することができる。
【図面の簡単な説明】
【００１１】
【図１】本発明の実施形態に係る使い捨ておむつの展開平面図（肌当接面側）である。
【図２】本発明の実施形態に係る使い捨ておむつの展開平面図（非肌当接面側）である。
【図３】図２に示す本発明の実施形態に係る使い捨ておむつにおけるファスニングテープ近傍の拡大図である。
【図４】図３に示すＦ-Ｆ線に沿った本実施形態に係る使い捨ておむつの断面図である。
【発明を実施するための形態】
【００１２】
図１乃至図４を参照して、本発明の第１の実施形態に係る使い捨ておむつ１０について説明する。
【００１３】
なお、以下の図面の記載において、同一又は類似の部分には、同一又は類似の符号を付している。ただし、図面は模式的なものであり、各寸法の比率等は現実のものとは異なることに留意すべきである。
【００１４】
したがって、具体的な寸法等は、以下の説明を参酌して判断すべきである。また、図面相互間においても互いの寸法の関係や比率が異なる部分が含まれ得る。
【００１５】
なお、本実施形態では、テープ型の使い捨ておむつ１０を例に挙げて説明を行うが、本発明は、パンツ型の使い捨ておむつ１０にも適用可能である。
【００１６】
図１は、本実施形態に係る使い捨ておむつ１０の展開平面図（肌当接面側）であり、図２は、本実施形態に係る使い捨ておむつ１０の展開平面図（非肌当接面側）であり、図３は、図２に示す本発明の実施形態に係る使い捨ておむつにおけるファスニングテープ近傍の拡大図であり、図４は、図３に示すＦ-Ｆ線に沿った本実施形態に係る使い捨ておむつの断面図である。
【００１７】
図１及び図２に示すように、本実施形態に係る使い捨ておむつ１０は、前胴回り域２０と、股下域２５と、後胴回り域３０とを有する。また、使い捨ておむつ１０には、一対の脚回り開口部３５が形成されている。
【００１８】
ここで、前胴回り域２０は、着用者の前胴回り部と接する部分であり、後胴回り域３０は、着用者の後胴回り部と接する部分であり、股下域２５は、前胴回り域２０と後胴回り域３０との間に位置する部分である。
【００１９】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００２０】
本実施形態に係る使い捨ておむつ１０は、股下域２５を跨ぎ前胴回り域２０及び後胴回り域３０に延びる吸収体４０を備える。吸収体４０は、吸収体コアとコアラップとによって構成されている。
【００２１】
吸収体コアは、従来の使い捨ておむつで用いられているものと同様であり、粉砕パルプや高吸収ポリマー等、公知の部材や材料を用いて、吸収体コアを適宜構成することができる。吸収体コアは、シート状のコアラップによって包まれている。
【００２２】
コアラップは、吸収体コアを被覆するシートである。コアラップの少なくとも肌当接面側の一部は、液透過性を有する各種の繊維不織布若しくはティッシュシートによって構成されている。
【００２３】
例えば、コアラップを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００２４】
また、図１に示すように、脚回り開口部３５に沿って形成され、少なくとも製品長手方向Ｌに伸縮可能な一対のレッグ伸縮部（レッグギャザー）７５が備えられている。
【００２５】
例えば、レッグ伸縮部７５は、所定本数の弾性部材（図１の例では、２本の弾性部材）によって構成されていてもよい。また、レッグ伸縮部７５は、伸縮性シート部材で形成されていてもよい。
【００２６】
また、吸収体４０の表面側（肌当接面側）には、液透過性の不織布シートであるトップシート（図示せず）が備えられており、吸収体４０の裏面側（非肌当接面側）には、不織布シートによって構成されているバックシート６０が備えられている。
【００２７】
さらに、トップシートとバックシート６０との間に、液布透過性の防漏シート（図示せず）が備えられていてもよい。
【００２８】
吸収体４０の製品幅方向Ｗにおける両側縁部には、サイドフラップ７０がそれぞれ備えられている。サイドフラップ７０は、１枚又は２枚以上の複数枚重ねた不織布によって構成されている。
【００２９】
また、図１及び図２に示すように、本実施形態に係る使い捨ておむつ１０は、前胴回り域２０（或いは、後胴回り域３０）における使い捨ておむつ１０の両側縁部から製品幅方向Ｗの外側に延出するように構成されている一対のファスニングテープ９０を備えている。
【００３０】
また、本実施形態に係る使い捨ておむつ１０は、後胴回り域３０（或いは、前胴回り域２０）の非肌当接面側の所定領域において、ターゲットテープ９０Ｂを備えている。
【００３１】
ここで、図１及び図４に示すように、ファスニングテープ９０には、フック部９０Ａが設けられており、ファスニングテープ９０のフック部９０Ａが、ターゲットテープ９０Ｂに取り付けられることによって、使い捨ておむつ１０を着用者の身体に保持することができる。
【００３２】
ここで、ファスニングテープ９０は、複数枚の不織布シートによって構成されている。図４に示すように、本実施形態に係る使い捨ておむつ１０では、ファスニングテープ９０は、２つの不織布シート９１/９２によって構成されている。
【００３３】
また、図３及び図４に示すように、上述の両側縁部においてファスニングテープ９０が接合されている接合領域１００に対応する不織布シート（バックシート６０及びサイドフラップ７０）のうち最も非肌当接面側に設けられているバックシート６０（第１不織布シート）には、エンボス６０ａが設けられている。
【００３４】
一方、図３及び図４に示すように、ファスニングテープ９０を構成する不織布シート９１/９２のうち最も非肌当接面側に設けられている不織布シート９１（第２不織布シート）には、バックシート６０（第１不織布シート）に設けられているエンボス６０ａの形状と同一形状或いは相似形状を有するエンボス９１ａが設けられている。
【００３５】
なお、エンボスの形状が同一であるとは、エンボス６０ａ/９１ａによって形成される模様や当該模様を構成する形状（例えば、各格子の面積等）の寸法が同一であることを意味する。
【００３６】
また、エンボスの形状が相似であるとは、エンボス６０ａ/９１ａによって形成される模様が同一であるが、当該模様を構成する形状の寸法が異なることや、当該形状（例えば、三角形や四角形）を維持しつつ幅又は高さの何れかを引き延ばしたり縮めたりしたものであることを意味する。
【００３７】
或いは、バックシート（第１不織布シート）及び不織布シート９１は、同一種類の製法によって生成された不織布によって構成されていてもよい。
【００３８】
また、図４に示すように、ファスニングテープ９０を構成する不織布シート９１以外の不織布シート９２に、不織布シート９１に対して設けられているエンボス９１ａと異なるエンボス９２ａが設けられていてもよい。
【００３９】
さらに、図３に示すように、上述の両側縁部から延出しているファスニングテープ９０における角部９３は、円弧状にカットされており、上述の両側縁部における角部６０ｂは、円弧状にカットされていてもよい。
【００４０】
また、ファスニングテープ９０全体の製品長手方向Ｌにおける単位長さ当たりのＫＥＳ曲げ剛性値及びファスニングテープ９０全体の製品幅方向Ｗにおける単位長さ当たりのＫＥＳ曲げ剛性値は、１.４５ｇｆ・ｃｍ２/ｃｍよりも小さくなるように構成されていることが好ましい。
【００４１】
ここで、曲げ剛性値は、カトーテック株式会社製KＥＳ-ＦＢ２を用いて、各サンプル（ファスニングテープ９０を不織布シート９１/９２と共に切り出したサンプル）をチャック間に固定し（使い捨ておむつ１０におけるファスニングテープ９０の肌当接面側（内側）を下向きとし）、最大曲率＋２.５ｃｍ−１まで表側に曲げ、次に、最大曲率−２.５ｃｍ−１まで裏側に曲げた後に元に戻すことによって測定した。
【００４２】
ファスニングテープ９０を構成する不織布シートの枚数を複数枚とし、各不織布シートの目付けや、各不織布シートの種類や、模様を形成するエンボス率等をコントロールすることで、ＫＥＳ曲げ剛性値を１.４５ｇｆ・ｃｍ２/ｃｍよりも小さくすることができる。
【００４３】
さらに、ターゲットテープ９０Ｂに、バックシート（第１不織布シート）及び不織布シート９１に設けられているエンボス９１ａと相似形状を有するエンボスが設けられていてもよい。
【００４４】
ここで、各不織布シートは、単層の繊維、より好ましくは複数層の繊維を積層することによって形成されている。
【００４５】
ターゲットテープ９０Ｂは、ファスニングテープ９０やバックシート６０と同様に、複数枚の不織布シートによって構成されている。
【００４６】
これにより、使い捨ておむつ１０の着用時、ファスニングテープ９０をターゲットテープ９０Ｂに取り付けたときに、前胴回り域２０及び後胴回り域３０の全体が、視覚的に一体感ある態様となり、異物となる要素を有していない良好な印象を与えることが可能となる。
【００４７】
因みに、ターゲットテープ９０Ｂを構成する不織布シートを複数層の繊維を積層して形成することで、同一又は相似形状のエンボスを設けつつ、ターゲットテープ９０Ｂに必要な耐久性と係合性とを実現し易くなる）
なお、バックシート６０の非肌当接面側に外装シートが設けられている場合には、接合領域１００に対応する不織布シートのうち最も非肌当接面側に設けられている第１不織布シートは、バックシート６０ではなく、外装シートとなる。
【００４８】
本実施形態に係る使い捨ておむつ１０によれば、ファスニングテープ９０を構成する不織布シート９１/９２のうち最も非肌当接面側に設けられている不織布シート９１に、バックシート６０（第１不織布シート）に設けられているエンボス６０ａの形状と同一形状或いは相似形状を有するエンボス９１ａが設けられているため、ファスニングテープ９０とバックシート６０（或いは、外装シート）との間で一体感があるという印象を与えることができる。
【００４９】
また、ファスニングテープ９０は、図４に示すように、バックシート６０とサイドフラップ７０との間に挟まれている構造であってもよいし、サイドフラップ７０の内面に接合されるように構成されていてもよい。
【００５０】
かかる構成によれば、ファスニングテープ９０が、バックシート６０の非肌当接面側に剥き出しとならないため、前胴回り域２０及び後胴回り域３０全体の一体感の印象がより高まる。
【００５１】
また、バックシート６０及びファスニングテープ９０の非肌当接面側の不織は、捲縮繊維によって構成されることが好ましい。
【００５２】
例えば、捲縮繊維としては、熱収縮捲縮法を用いた繊維を用いることができる。熱収縮捲縮法を用いる場合には、融点の異なる２種類以上の原材料ポリマー、例えば、ポリプロピレンとポリエチレンとからなるサイドバイサイド型や芯鞘型に係る複合繊維を紡糸し、当該融点の差による熱収縮差によって捲縮を発現させることができる。
【００５３】
特に、ポリプロピレンを芯、エチレン・プロピレンのコポリマーを鞘とする偏芯鞘型に係る熱収縮捲縮法によって得られる複合繊維を用いることが、所望の捲縮数や捲縮率や捲縮伸長率や捲縮復元率等を調整できることから好ましい。
【００５４】
このような捲縮繊維を用いることによって、繊維の嵩高が発現し易く、より布地（特に、本実施形態ではキルティング状の布地）に近いイメージを醸し出すことができる。また、後述するエンボス120と相俟って、さらに布地（キルティング状の布地）に近いイメージを醸し出すことができる。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５６】
１０…使い捨ておむつ
２０…前胴回り域
２５…股下域
３０…後胴回り域
３５…脚回り開口部
４０…吸収体
６０…バックシート
７０…サイドフラップ
７５…レッグ伸縮部
９０…ファスニングテープ
９０Ｂ…ターゲットテープ
【図１】
2014104348.tif 000003
【図２】
2014104348.tif 000004
【図３】
2014104348.tif 000005
【図４】
2014104348.tif 000006